(57)【要約】      （修正有）【課題】ダイアフラムのケースに組み付け時に、ダイアフラムがケース中心部に確実に取り付け可能な逃し弁を提供する。【解決手段】一次側室と二次側室とを各々構成するケース２、３との境界部にダイアフラムを備え、一次側室と二次側室との境界部の流路を開閉する止水機能を有する弁体とを備える逃し弁であって、弁体が一次側室と二次側室との境界部を閉じている時に、一次圧が上昇すると一次側室と二次側室とを連通させるリリーフ弁機構を備え、リリーフ弁機構は、リリーフ弁座と、リリーフばねと、リリーフ弁体とを有し、一次側室ケース２には、流体が一次側室に流れ込み易いように通水溝１０が、リリーフ弁体が移動する移動軸に向かって延び且つ前記移動軸を挟んで対向しない位置に少なくとも２つ設けられ、リリーフ弁座には、通水溝にはまり込む突起１１が設けられ、突起は、少なくとも２つの通水溝にはまり込む位置に設ける。【選択図】図３
2014088881.tif 000002
【特許請求の範囲】
【請求項１】
一次側室と二次側室とを各々構成するケースとの境界部にダイアフラムを備え、前記一次側室と前記二次側室との境界部の流路を開閉する止水機能を有する弁体とを備える逃し弁であって、前記弁体が前記一次側室と前記二次側室との前記境界部を閉じている時に、一次圧が上昇すると前記一次側室と前記二次側室とを連通させるリリーフ弁機構を備え、前記リリーフ弁機構は、リリーフ弁座と、リリーフばねと、リリーフ弁体とを有し、前記一次側室ケースには、流体が前記一次側室に流れ込み易いように通水溝が設けられ、前記通水溝は、リリーフ弁体が移動する移動軸に向かって延び且つ前記移動軸を挟んで対向しない位置に少なくとも２つ設けられ、前記リリーフ弁座には、前記通水溝にはまり込む突起が設けられ、前記突起は、前記少なくとも２つの通水溝にはまり込む位置に設けられることを特徴とする逃し弁。
【請求項２】
前記通水溝は、前記移動軸周りに６つ設けられ、前記突起は、前記６つの通水溝のうちの３つの通水溝にはまり込む位置に設けられることを特徴とする請求項１に記載の逃し弁。
【請求項３】
前記通水溝は、前記移動軸周りに４つ設けられ、前記突起は、前記４つの通水溝にはまり込む位置に４つ設けられることを特徴とする請求項１に記載の逃し弁。
【発明の詳細な説明】
【技術分野】
【０００１】
本発明は流体圧力が一定値以上になった場合に開弁動作して圧力を開放する逃し弁に関するものである。
【背景技術】
【０００２】
従来逃し弁は、ダイアフラムとダイアフラム中心部に設けられた開閉弁の動作により、一次側圧力を一定値以下に保持することを可能とするものが知られている（例えば、特許文献１）。
【０００３】
このような逃し弁は、ダイアフラムは円形であり、一次側室と二次側室とを各々構成するケースとの境界部にダイアフラムを挟み込む構造となっている。具体的には、逃し弁は、一次側室と二次側室とを各々構成するケースとの境界部にダイアフラムを備え、前記一次側室と前記二次側室との境界部の流路を開閉する止水機能を有する弁体とを備える逃し弁であって、前記弁体が前記一次側室と前記二次側室との前記境界部を閉じている時に、一次圧が上昇すると前記一次側室と前記二次側室とを連通させるリリーフ弁機構を備え、前記リリーフ弁機構は、リリーフ弁座と、リリーフばねと、リリーフ弁体とを有し、前記一次側室ケースには、流体が前記一次側室に流れ込み易いように通水溝が設けられ、前記リリーフ弁座には、前記通水溝にはまり込む突起が設けられている。そして、前記通水溝は、リリーフ弁体が移動する移動軸に向かって延び且つ前記移動軸を挟んで対向する位置に２つ設けられ、前記突起は、移動軸を挟んで対向するこの２つの通水溝にはまり込むように２つ設けられている。
【先行技術文献】
【特許文献】
【０００４】
【特許文献１】特開２００８−１３８７８４号公報
【発明の概要】
【発明が解決しようとする課題】
【０００５】
しかしながら、従来構成では、前記突起は、移動軸を挟んで対向する２つの通水溝にはまり込むように２つのみ設けられていたため、この２つの突起の対向方向に沿ってダイアフラムが移動することを規制する手段が無かった。従って、ダイアフラムをケースに収め、組み付ける際に、ダイアフラムがケース中心部からずれる場合があった。このため、ダイアフラムが本来の動きをせず、逃し弁の信頼性が低下するといった不都合があり得た。
【０００６】
そこで、本発明は、ダイアフラムのケースに組み付け時に、ダイアフラムがケース中心部に確実に取り付け可能な逃し弁を提供する。
【課題を解決するための手段】
【０００７】
本発明は、一次側室と二次側室とを各々構成するケースとの境界部にダイアフラムを備え、前記一次側室と前記二次側室との境界部の流路を開閉する止水機能を有する弁体とを備える逃し弁であって、前記弁体が前記一次側室と前記二次側室との前記境界部を閉じている時に、一次圧が上昇すると前記一次側室と前記二次側室とを連通させるリリーフ弁機構を備え、前記リリーフ弁機構は、リリーフ弁座と、リリーフばねと、リリーフ弁体とを有し、前記一次側室ケースには、流体が前記一次側室に流れ込み易いように通水溝が設けられ、前記通水溝は、リリーフ弁体が移動する移動軸に向かって延び且つ前記移動軸を挟んで対向しない位置に少なくとも２つ設けられ、前記リリーフ弁座には、前記通水溝にはまり込む突起が設けられ、前記突起は、前記少なくとも２つの通水溝にはまり込む位置に設けられることを特徴とする。
【発明の効果】
【０００８】
本発明は、ダイアフラムのケースに組み付け時に、ダイアフラムがケース中心部に確実に取り付けることができる。
【図面の簡単な説明】
【０００９】
【図１】本発明の実施形態に係る逃し弁の概観図。
【図２】本発明の実施形態に係る逃し弁の断面図。
【図３】本発明の実施形態に係る逃し弁の一次側室ケースとリリーフ弁座突起との関係図。
【図４】本発明の実施形態に係る逃し弁の一次側室ケースの平面図。
【図５】本発明の実施形態に係る逃し弁において、突起が設けられたリリーフ弁座を示す図。
【図６】本発明の実施形態の変形例に係る逃し弁の一次側室ケースとリリーフ弁座突起との関係図。
【発明を実施するための形態】
【００１０】
本実施形態に係る逃し弁１は、図１、図２に示すように、一次側室ケース２、二次側室ケース３、ダイアフラム５、リリーフ弁座７、通水溝１０、などで構成されている。
【００１１】
逃し弁１は、ダイアフラム５と同軸にリリーフ弁座７が設けられ、５ダイアフラムに対して軸方向に移動可能に、かつバネで弁座に対して付勢されたリリーフ弁体が設けられ、流路２０の一次側圧力が上昇するとダイアフラム５が押圧バネ力に抗って二次側に移動し、一次側圧力が所定の圧力を超えると弁体を備えたシャフトの一端がピストンに当接して弁体が弁座から離れることで開弁する。
【００１２】
また、一次側室ケース２には、流路２０から一次側室１８へ流体が流れ込み易いように通水溝１０が複数個設けられている。また、リリーフ弁座７には突起１１が複数個設けられている。
【００１３】
具体的には、通水溝１０は、リリーフ弁体が移動する移動軸に向かって延び且つ移動軸を挟んで対向しない位置に少なくとも２つ設けられる。また、突起１１は、少なくとも２つの通水溝１０にはまり込む位置に設けられる。
【００１４】
通水溝１０の幅は、突起１１の幅よりもわずかに大きく構成されている。突起１１は通水溝１０に落とし込むように構成され、通水溝１０の数は突起１１よりも多く構成される。また、通水溝１０の深さは、突起１１の高さよりもわずかに深く構成されている。
【００１５】
また、図４に示すように、通水溝１０は、移動軸周りに６つ設けられ、図５に示すように、突起１１は、６つの通水溝１０のうちの３つの通水溝１０にはまり込む位置に設けられる。この例では、突起１１は対角にない位置に設けられている。図３は、３つの突起１１が６つの通水溝１０のうちの３つにはまり込んだ状態を示す。これにより、ダイアフラムのケース組み付け時に、ダイアフラムがケース中心部に配置されるようになり、ダイアフラムが回転したり、中心からずれることがない。また、リリーフ弁機構６作動時にダイアフラム５のずれなどによる動作不良を未然に防ぐことが可能になる。
【００１６】
なお、図６は、本発明の実施形態の変形例に係る逃し弁を示すものであり、通水溝１０は、前記移動軸周りに４つ設けられ、突起１１は、前記４つの通水溝にはまり込む位置に４つ設けられる。この変形例は、対角に位置する弁座突起１１同士は移動軸を挟んで互いに対向するが、それぞれ対向しない位置に設けられる突起１１によってダイアフラムの移動が規制される。
【符号の説明】
【００１７】
１  逃し弁
２  一次側室ケース
３  二次側室ケース
４  ハンドル
５  ダイアフラム
６  リリーフ弁機構
７  リリーフ弁座
１０  通水溝
１１  突起
【図１】
2014088881.tif 000003
【図２】
2014088881.tif 000004
【図３】
2014088881.tif 000005
【図４】
2014088881.tif 000006
【図５】
2014088881.tif 000007
【図６】
2014088881.tif 000008